(57)【要約】【課題】移動する光源からの光を原稿台に載置された原稿に照射し、該原稿を走査して画像を読み取る手段を備える画像読取装置において、原稿の厚みに起因して黒い影が発生することを防止すると共に、複数の光源を備える場合において、夫々の光源の光量にバラツキが発生することを防ぐことが出来る画像読取装置及び画像形成装置を提供する。【解決手段】その移動方向に対向配設された２つの光源と、夫々の光源の光量を検出する検出部とを備え、該検出部の検出結果に基づき、前記２つの光源に印加する電圧又は電流を調整する。【選択図】図６
2010178213.tif 000002
【特許請求の範囲】
【請求項１】
移動する光源からの光を原稿台に載置された原稿に照射し、該原稿を走査して画像を読み取る手段を備える画像読取装置において、
その移動方向に対向配設された２つの光源と、
夫々の光源の光量を検出する検出部と、
該検出部の検出結果に基づき、前記２つの光源に印加する電圧又は電流を調整する調整手段とを備えていることを特徴とする画像読取装置。
【請求項２】
前記原稿台は矩形であり、前記走査は前記原稿台の一端側から、該一端側に対向する他端側に向けて行われ、
外部から所定の指示を受け付ける受付手段を備え、
前記受付手段が前記指示を受け付けた場合、
前記調整手段は、前記２つの光源の中、前記原稿台の他端側の光源に印加する電圧又は電流を、一端側の光源より高く調整するように構成されていることを特徴とする請求項１に記載の画像読取装置。
【請求項３】
前記２つの光源の前記原稿に対する位置を検出する位置検出手段を備え、
該位置検出手段の検出結果に基づき、前記調整手段は前記２つの光源に印加する電圧又は電流を調整するように構成されていることを特徴とする請求項１に記載の画像読取装置。
【請求項４】
外部から所定の指示を受け付ける受付手段を備え、
該受付手段が前記指示を受け付けた場合、
前記調整手段は、前記位置検出手段の検出結果に基づき、前記２つの光源に印加する電圧又は電流を夫々変更するように構成されていることを特徴とする請求項３に記載の画像読取装置。
【請求項５】
前記光源は、ＬＥＤ、ハロゲンランプ及び/又はキセノンランプを備えていることを特徴とする請求項１に記載の画像読取装置。
【請求項６】
請求項１から請求項５までの何れか一つの画像読取装置を備え、
該画像読取装置によって読み取られた画像の画像データに基づき、シート上に画像を形成するように構成されていることを特徴とする画像形成装置。
【発明の詳細な説明】
【技術分野】
【０００１】
本発明は、移動する光源からの光を原稿台に載置された原稿に照射し、該原稿を走査して画像を読み取る手段を備える画像読取装置及び画像形成装置に関する。
【背景技術】
【０００２】
従来、スキャナのような画像読取装置は、原稿を載置する原稿台と、該原稿台に載置される原稿を押えて密着させる原稿押えマットと、該原稿押えマットを保持し、原稿によって前記原稿押えマットが浮き上がることを防ぐ原稿押え板とを備えている。前記原稿押えマットは、矩形であって樹脂性の白いシートと、該白いシート及び前記原稿押え板の間に介在し、前記白いシートに倣う、弾性部材とを備えている。また、前記原稿押え板は開閉自在に取り付けられている。
【０００３】
このような構成を有する、従来の画像読取装置は、原稿台上に原稿を載置し、前記原稿押え板を閉じて、前記原稿押えマットで前記原稿を原稿台に密着させた状態で、前記原稿台の下方から原稿に向けて光源からの光を照射し、前記原稿を走査して前記原稿の画像を読み取ることが出来た。
【０００４】
図１３は従来の画像読取装置における問題点を説明するための説明図である。図中、白抜き矢印は光の経路を示す。従来の画像読取装置において、例えば、矩形の原稿Ｐを原稿台１３０の左奥に合わせて載置し、原稿台１３０の左側から右側に向けて光源Ｌが移動しながら走査が行われ、原稿Ｐの画像を読み取る場合、読み取るべき原稿Ｐが薄い場合は原稿Ｐの縁とシートＳの間に殆ど隙間が生じることなく、原稿Ｐを原稿台１３０に密着させるので、読み取られた画像の画像データに基づく印刷においても良好な印刷物を得ることが出来る。
【０００５】
一方、読み取るべき原稿Ｐが、例えば、画用紙、葉書及び名刺等のように厚いものである場合は、原稿Ｐの厚みが原因で、図１３に示すように、原稿Ｐの右端部の縁とシートＳとの間に段差（Ｇ）が生じる。従って、原稿Ｐの右端部の下方に光源Ｌが位置した場合は、原稿Ｐの縁付近に黒い影が発生する。この状態で読み取られた画像の画像データに基づき、印刷が行われた場合は、前記影が印刷物に現れるといった問題があった。
【０００６】
図１４は原稿の厚みによる黒い影の発生を防止する画像読取装置の縦断面を示す断面図である。図中、矢印は光の経路を示す。前記画像読取装置は、原稿台１３０の上に載置された原稿に原稿台１３０の下方から光を照射する光源Ｌを備え、前記原稿又は原稿台１３０によって反射された反射光を再び前記原稿に向けて反射する反射板Ｒを、空間を挟んで光源Ｌの右側に設けており、光源Ｌと反射板Ｒによる光量比が４：６になるように構成している。
【０００７】
従って、上述したように、原稿を前記原稿台１３０の左奥に合わせて載置し、前記原稿台の左側から右側に向けて光源Ｌが移動しながら走査が行われる場合、前記原稿の右端部の下方に光源Ｌが位置しても、反射板Ｒからの光が前記原稿の右端部の縁付近を照射するので、前記原稿の右端部の縁付近に影が発生することを防止できる。
【０００８】
また、特許文献１では、複数の光源を備え、前記複数の光源を個別に点灯させて、夫々の光源の光量を測定し、夫々の光源が寿命に達したか否かの判定を行うことが出来る画像読取装置が開示されている。
【先行技術文献】
【特許文献】
【０００９】
【特許文献１】特開２０００−３９６７９号公報
【発明の概要】
【発明が解決しようとする課題】
【００１０】
しかしながら、上述したような従来の画像読取装置においては、使用時間の経過に伴う光源の劣化に対応することが出来ない。つまり、使用時間の経過に伴う光源の劣化によって、前記光量比を保つことが出来なくなり、原稿の厚みに起因する黒い影が発生する恐れがある。
【００１１】
また、特許文献１の画像読取装置においては、複数の光源を備えているので、使用時間の経過に伴って光源が劣化することにより、夫々の光源の光量にバラツキが生じる恐れもある。
【００１２】
本発明は、斯かる事情に鑑みてされたものであり、その目的とするところは、移動する光源からの光を原稿台に載置された原稿に照射し、該原稿を走査して画像を読み取る手段を備える画像読取装置において、その移動方向に対向配設された２つの光源と、夫々の光源の光量を検出する検出部とを備え、該検出部の検出結果に基づき、前記２つの光源に印加する電圧又は電流を調整することにより、前記光源の劣化に伴い、原稿の厚みに起因して黒い影が発生することを防止すると共に、複数の光源を備える場合において、夫々の光源の光量にバラツキが発生することを防ぐことが出来る画像読取装置及び画像形成装置を提供することにある。
【課題を解決するための手段】
【００１３】
本発明に係る画像読取装置は、移動する光源からの光を原稿台に載置された原稿に照射し、該原稿を走査して画像を読み取る手段を備える画像読取装置において、その移動方向に対向配設された２つの光源と、夫々の光源の光量を検出する検出部と、該検出部の検出結果に基づき、前記２つの光源に印加する電圧又は電流を調整する調整手段とを備えていることを特徴とする。
【００１４】
本発明にあっては、前記検出部が前記２つの光源夫々の光量の検出を行う。前記調整手段は前記検出部の検出結果に基づき、前記２つの光源の光量が等しくなるように前記２つの光源に印加する電圧又は電流を調整し、前記２つの光源の光量にバラツキが発生することを防止する。また、前記調整手段は前記検出部の検出結果に基づき、前記２つの光源の光量が所定の光量比になるように、前記２つの光源に印加する電圧又は電流を調整し、原稿の厚みに起因する影が発生することを防止する。
【００１５】
本発明に係る画像読取装置は、前記原稿台は矩形であり、前記走査は前記原稿台の一端側から、該一端側に対向する他端側に向けて行われ、外部から所定の指示を受け付ける受付手段を備え、前記受付手段が前記指示を受け付けた場合、前記調整手段は、前記２つの光源の中、前記原稿台の他端側の光源に印加する電圧又は電流を、一端側の光源より高く調整するように構成されていることを特徴とする。
【００１６】
本発明にあっては、前記受付手段が前記指示を受け付けた場合、前記調整手段が、前記２つの光源の中、前記原稿台の他端側の光源に印加する電圧又は電流を、一端側の光源より高く調整して、前記他端側の光源の光量を高めるので、例えば、厚い原稿を前記原稿台の一端側に合わせて載置しておいて走査を行う際、前記原稿台の他端側の前記原稿の縁付近に影が発生することを防ぐことが出来る。
【００１７】
本発明に係る画像読取装置は、前記２つの光源の前記原稿に対する位置を検出する位置検出手段を備え、該位置検出手段の検出結果に基づき、前記調整手段は前記２つの光源に印加する電圧又は電流を調整するように構成されていることを特徴とする。
【００１８】
本発明にあっては、例えば、前記位置検出手段によって、前記２つの光源が前記原稿の中央付近に位置していると検出された場合、前記調整手段は前記２つの光源の光量が等しくなるように、夫々の光源に印加する電圧又は電流を調整する。なお、前記位置検出手段によって、前記２つの光源が前記原稿の一縁の付近に位置していると検出された場合、前記調整手段は前記２つの光源の中、前記一縁に近い光源の光量が高くなるように、夫々の光源に印加する電圧又は電流を調整する。
【００１９】
本発明に係る画像読取装置は、外部から所定の指示を受け付ける受付手段を備え、該受付手段が前記指示を受け付けた場合、前記調整手段は、前記位置検出手段の検出結果に基づき、前記２つの光源に印加する電圧又は電流を夫々変更するように構成されていることを特徴とする。
【００２０】
本発明にあっては、該受付手段が前記指示を受け付けた場合、前記位置検出手段の検出結果に基づき、前記調整手段は、前記２つの光源に印加する電圧又は電流を夫々変更させ、前記２つの光源の前記原稿に対する位置によって、適宜前記２つの光源の光量を調整する。
【００２１】
本発明に係る画像読取装置は、前記光源は、ＬＥＤ、ハロゲンランプ及び/又はキセノンランプを備えていることを特徴とする。
【００２２】
本発明にあっては、前記光源が、例えば、その移動方向と交叉する方向に並設された複数のＬＥＤ、又は前記方向に延びるハロゲンランプ若しくはキセノンランプを備えている。
【００２３】
本発明に係る画像形成装置は、前述の発明の何れか一つの画像読取装置を備え、該画像読取装置によって読み取られた画像の画像データに基づき、シート上に画像を形成するように構成されていることを特徴とする。
【００２４】
本発明にあっては、前記画像読取装置よって画像を読み取り、該画像の画像データに基づき、シート上に画像を形成する。
【発明の効果】
【００２５】
本発明によれば、その移動方向に対向配設された２つの光源と、夫々の光源の光量を検出する検出部とを備え、該検出部の検出結果に基づき、前記２つの光源に印加する電圧又は電流を調整するので、前記光源の劣化に伴い、原稿の厚みに起因して黒い影が発生することを防止すると共に、複数の光源を備える場合において、夫々の光源の光量にバラツキが発生することを防止出来る。
【図面の簡単な説明】
【００２６】
【図１】本発明の実施の形態１に係るデジタル複合機の模式的縦断面図である。
【図２】本発明の実施の形態１に係るデジタル複合機の画像読取装置の要部構成を示すブロック図である。
【図３】画像読取装置の読取ユニットの構成を模式的に示す模式図である。
【図４】本発明の実施の形態１に係るデジタル複合機の光源ユニットを示す斜視図である。
【図５】本発明の実施の形態１に係るデジタル複合機の光源ユニットの構成を模式的に説明する模式図である。
【図６】本発明の実施の形態１に係るデジタル複合機の光源ユニットの縦断面図である。
【図７】本発明の実施の形態１に係るデジタル複合機の原稿検出部による原稿検出を説明するための説明図である。
【図８】本発明の実施の形態１に係るデジタル複合機の操作パネル及び表示部を示す図である。
【図９】本発明の実施の形態１に係るデジタル複合機における、受付画面を説明するための説明図である。
【図１０】本発明の実施の形態１に係るデジタル複合機のＣＰＵの処理を示すフローチャートである。
【図１１】本発明の実施の形態１に係るデジタル複合機において、第１光源及び第２光源が原稿の右端部の下方に位置した場合の照射状況を説明するための説明図である。
【図１２】本発明の実施の形態２に係るデジタル複合機のＣＰＵの処理を示すフローチャートである。
【図１３】従来の画像読取装置における問題点を説明するための説明図である。
【図１４】原稿の厚みによる黒い影の発生を防止する画像読取装置の縦断面を示す断面図である。
【発明を実施するための形態】
【００２７】
以下、本発明に係る画像読取装置及び画像形成装置を、コピー機能、印刷機能等を有するデジタル複合機に適用した形態について図面を用いて具体的に説明する。なお、説明の便宜上、印加する電圧を制御することにより、光源の光量を調整する場合を例として説明する。
【００２８】
（実施の形態１）
図１は本発明の実施の形態１に係るデジタル複合機の模式的縦断面図である。
【００２９】
本発明に係るデジタル複合機は、装置本体２００、及び装置本体２００の上部に設けられた画像読取装置１００を備えている。
【００３０】
装置本体２００は、露光ユニット１、現像器２、感光体ドラム３、クリーナユニット４、帯電器５、中間転写ベルトユニット６、定着ユニット７、給紙カセット８１、排紙トレイ９１等を有して構成されている。
【００３１】
本発明に係るデジタル複合機において扱われる画像データは、例えば、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するように夫々４個ずつ設けられ、夫々ブラック、シアン、マゼンタ、イエローに設定され、これらによって４つの画像ステーションが構成されている。
【００３２】
帯電器５は、感光体ドラム３の表面を所定の電位で均一に帯電させるための帯電手段である。
【００３３】
露光ユニット１は、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズ及びミラー等の光学要素が配置されている。また露光ユニット１としては、この他、発光素子をアレイ状に並べた例えばＥＬ及びＬＥＤ書込みヘッドを用いる手法も採用できる。
【００３４】
また、露光ユニット１は、帯電された感光体ドラム３を入力された画像データに応じて露光することにより、その表面に、画像データに応じた静電潜像を形成する機能を有する。現像器２は夫々の感光体ドラム３上に形成された静電潜像を４色（ＹＭＣＫ）のトナーにより顕像化する。またクリーナユニット４は、現像・画像転写後における感光体ドラム３上の表面に残留しているトナーを、除去・回収する。
【００３５】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。中間転写ローラ６４は、ＹＭＣＫ用の各色に対応して４本設けられている。
【００３６】
中間転写ベルト駆動ローラ６２、中間転写ベルト従動ローラ６３、及び中間転写ローラ６４は、中間転写ベルト６１を張架して回転駆動させる。また、各中間転写ローラ６４は、感光体ドラム３のトナー像を、中間転写ベルト６１上に転写するための転写バイアスを与える。中間転写ベルト６１は、各感光体ドラム３に接触するように設けられている。そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば、厚さ１００μｍ〜１５０μｍ程度のフィルムを用いて無端状に形成されている。
【００３７】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。中間転写ローラ６４は、直径８〜１０ｍｍの金属（例えば、ステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。実施の形態１においては転写電極としてローラ形状を使用しているが、それ以外にブラシなども用いることが可能である。
【００３８】
上述のように各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は前記ニップを定常的に得るために、転写ローラ１０もしくは中間転写ベルト駆動ローラ６２の何れか一方を硬質材料（金属等）とし、他方を弾性ローラ等の軟質材料（弾性ゴムローラ、または発泡性樹脂ローラ等）が用いられる。
【００３９】
また、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００４０】
定着ユニット７は、ヒートローラ及び加圧ローラを備えており、これら２つのローラによりトナー像が転写された用紙を挟んで回転させ、ヒートローラの熱によりトナー像を用紙上に加熱定着させる。
【００４１】
給紙カセット８１は、画像形成に使用するシート（記録用紙）を蓄積しておくためのトレイであり、装置本体２００の露光ユニット１の下側に設けられている。また手差し給紙カセット８２にも画像形成に使用するシートを置くことができる。また、装置本体２００の上方に設けられている排紙トレイ９１は、印刷済みのシートをフェイスダウンで集積する。
【００４２】
また、装置本体２００には、給紙カセット８１及び手差し給紙カセット８２のシートを、転写ローラ１０及び定着ユニット７を経由させて排紙トレイ９１に送るための、略垂直形状の用紙搬送路Ｓが設けられている。給紙カセット８１又は手差し給紙カセット８２から排紙トレイ９１までの用紙搬送路Ｓの近傍には、ピックアップローラ１１ａ，１１ｂ、複数の搬送ローラ１２ａ、１２ｂ、１２ｃ、１２ｄ，レジストローラ１３、転写ローラ１０、定着ユニット７等が配されている。搬送ローラ１２ａ、１２ｂ、１２ｃ、１２ｄは、シートの搬送を促進・補助するための小型のローラであり、用紙搬送路Ｓに沿って複数設けられている。また、ピックアップローラ１１ａは、給紙カセット８１の端部近傍に備えられ、給紙カセット８１からシートを１枚ずつピックアップして用紙搬送路Ｓに供給する。同様にピックアップローラ１１ｂは、手差し給紙カセット８２の端部近傍に備えられ、手差し給紙カセット８２からシートを１枚ずつピックアップして用紙搬送路Ｓに供給する。
【００４３】
画像読取装置１００は、原稿が載置される矩形の透明ガラスからなる原稿載置台１３０を備え、原稿載置台１３０の上方には、原稿を原稿載置台１３０に送る原稿送り装置１２０が設けられている。原稿送り装置１２０は、図１中矢印Ｎ方向に回動自在に取り付けられており、原稿載置台１３０の上を開放することにより原稿を手置きで置くことができるように構成されている。なお、画像読取装置１００は、原稿載置台１３０の上の原稿の画像を読み取る読取ユニット１４０を備えている。
【００４４】
図２は本発明の実施の形態１に係るデジタル複合機の画像読取装置１００の要部構成を示すブロック図であり、図３は画像読取装置１００の読取ユニット１４０の構成を模式的に示す模式図である。図３中、光の経路を白抜き矢印にて示している。
【００４５】
本発明の実施の形態１に係るデジタル複合機の画像読取装置１００は、制御装置１０１、原稿読取制御部１０２、走査モータ駆動部１０３、走査モータ１０４、光量制御部１０５、一対の光源の第１光源１４１Ａ及び第２光源１４１Ｂ、原稿検出部１０６、記憶部１０７を備えている。また、画像読取装置１００は、原稿載置台１３０より手前に、表示部１０９を有する操作パネル１０８を備えている。
【００４６】
読取ユニット１４０は、原稿Ｐの表面に記録されている画像を読取るために光源ユニット１４１、ミラーユニット１４２、結像レンズ１４３、及びＣＣＤ１４４（検出部）等を備えている。なお、光源ユニット１４１及びミラーユニット１４２は、原稿Ｐを走査する際、副走査方向（図中、白抜き矢印にて表示）に移動する走査ユニット（図示せず）を構成する。
【００４７】
制御装置１０１は、ＣＰＵ１０１Ａ及びＲＯＭ１０１Ｂを備えている。ＣＰＵ１０１Ａは、上述した各種ハードウェアを制御する。また、ＣＰＵ１０１Ａは、第１光源１４１Ａ及び第２光源１４１Ｂの光量が等しいか否かの判定、第１光源１４１Ａ及び第２光源１４１Ｂに印加すべき電圧値の算出等を行う。ＲＯＭ１０１Ｂには、上述した各ハードウェアを制御する制御プログラム、後述する受付画面を表示するためのプログラム等が記憶されている。
【００４８】
原稿読取制御部１０２は、ＣＰＵ１０１Ａの指示に応じて走査モータ駆動部１０３を制御することによって、前記走査ユニットの移動を制御する。
【００４９】
走査モータ駆動部１０３は、原稿読取制御部１０２からの信号に応じて、例えば、ステッピングモータのような走査モータ１０４を駆動させ、前記走査ユニットを移動させる。
【００５０】
原稿読取制御部１０２は、制御装置１０１のＣＰＵ１０１Ａからの指示に基づいて走査モータ駆動部１０３の動作を制御する。即ち、原稿読取制御部１０２はＣＰＵ１０１Ａから読取の実行に係る指示を受けた場合、走査モータ駆動部１０３に駆動開始信号を出力し、走査モータ駆動部１０３は前記駆動開始信号に応じて前記走査ユニットの移動動作の駆動源である走査モータ１０４に駆動電圧を印加する。これによって走査モータ１０４が回転し、前記前記走査ユニットが副走査方向に往復移動する。
【００５１】
光量制御部１０５は、ＣＣＤ１４４による光量の検出結果に基づくＣＰＵ１０１Ａの指示に応じて、第１光源１４１Ａ及び第２光源１４１Ｂ夫々に電圧を印加する２つの回路を備えており、該２つの回路を介して印加する電圧を調整することによって、第１光源１４１Ａ及び第２光源１４１Ｂの光量を制御する。
【００５２】
第１光源１４１Ａ及び第２光源１４１Ｂは、前記副走査方向（又は前記走査ユニットの移動方向）に対向配置されている。第１光源１４１Ａは、前記副走査方向と交叉する主走査方向に延設された短冊形の基板１４７の上に、複数のＬＥＤ１４５，１４５，１４５，…が基板１４７の長手方向（又は主走査方向）に沿って並設されている。なお、第２光源１４１Ｂは、第１光源１４１Ａの基板１４７の右方向に適宜の間隔を隔てた位置に設けられた基板１４８の上に、第１光源１４１Ａと同様、複数のＬＥＤ１４６，１４６，１４６，…が基板１４８の長手方向に沿って並設されている。実施の形態１では、光源にＬＥＤが用いられた場合を例として説明するが、これに限るものでない。例えば、前記主走査方向に沿って延びる棒状の蛍光灯、ハロゲンランプ又はキセノンランプ等が取り付けられた構成であっても良い。
【００５３】
以下、第１光源１４１Ａ及び第２光源１４１Ｂを備える光源ユニット１４１の構成について説明する。図４は本発明の実施の形態１に係るデジタル複合機の光源ユニット１４１を示す斜視図、図５は光源ユニット１４１の構成を模式的に説明する模式図、図６は光源ユニット１４１の縦断面図である。図６中、光の経路を矢印にて示している。
【００５４】
第１光源１４１Ａの基板１４７及び第２光源１４１Ｂの基板１４８は原稿載置台１３０に対して斜めに取り付けられており、夫々に複数のＬＥＤ１４５，１４５，１４５，…及び複数のＬＥＤ１４６，１４６，１４６，…が実装されている。ＬＥＤ１４５及びＬＥＤ１４６は、立方体形状ＬＥＤの側面から光を発する通称サイド発光型ＬＥＤであり、ＬＥＤ１４５及びＬＥＤ１４６は相互対向する側面から光を出射し、原稿載置台１３０に載置されている原稿Ｐを照射する。
【００５５】
第１光源１４１Ａ及び第２光源１４１Ｂは適宜の間隔を隔てて、相互対向するように取り付けられており、第１光源１４１Ａ及び第２光源１４１Ｂの間には、原稿Ｐによって反射された反射光が通過するスリット１４９が設けられている。スリット１４９の直下には、前記反射光をミラーユニット１４２に導く第１ミラー１４１Ｃが原稿載置台１３０に対して斜めに設けられている。前記反射光は、スリット１４９を通過して、第１ミラー１４１Ｃによって反射され、ミラーユニット１４２に入射される。
【００５６】
ミラーユニット１４２は、第２ミラー１４２Ａ及び第３ミラー１４２Ｂを備えており、ミラーユニット１４２に入射した光は、第２ミラー１４２Ａ及び第３ミラー１４２Ｂによって更に反射され、レンズ１４３に導かれる。
【００５７】
レンズ１４３に入射される前記反射光は、レンズ１４３によって集光され、ＣＣＤ１４４に入射する。ＣＣＤ１４４は、入射される反射光に応じて結像するイメージセンサであり、数千個のフォトセルを備え、各フォトセルは光電変換を行い、入射した光をその光量に応じたアナログ電気信号に変換して出力する。ＣＣＤ１４４からのアナログ電気信号はその後Ａ／Ｄ変換される。
【００５８】
原稿検出部１０６は、原稿載置台１３０に載置された原稿Ｐの位置及びサイズを検知する。図７は原稿検出部１０６による原稿検出を説明するための説明図である。本発明の実施の形態１に係るデジタル複合機は、原稿載置台１３０の下方に３つの光学センサ１３１，１３２，１３３を設けている。光学センサ１３１，１３２，１３３は夫々発光素子Ｓ１及び受光素子Ｒ１、発光素子Ｓ２及び受光素子Ｒ２、発光素子Ｓ３及び受光素子Ｒ３からなり、原稿載置台１３０の下方に適宜配置されている。光学センサ１３１，１３２，１３３の発光素子Ｓ１，Ｓ２，Ｓ３が原稿載置台１３０に向けて発光し、原稿載置台１３０に原稿が載置されていれば、光は原稿に反射され、受光素子Ｒ１，Ｒ２，Ｒ３がその反射光を受光するので原稿の存在が検出できる。一方、原稿載置台１３０に原稿がなければ、発光素子Ｓ１，Ｓ２，Ｓ３からの光は原稿に反射されないため、受光素子Ｒ１，Ｒ２，Ｒ３はその反射光を受光できず、原稿の存在は検出できない。例えば、受光素子Ｒ１，Ｒ２，Ｒ３とも受光した場合、原稿検出部１０６は、原稿載置台１３０に載置された原稿はＡ３サイズであると検出する。これにより、規格サイズ（例えば、Ａ３、Ａ４、Ａ４Ｒ、Ｂ４、Ｂ５等）の原稿が原稿載置台１３０の左奥に合わせて載置された場合、原稿の位置及びサイズを検出することが出来る。
【００５９】
一方、原稿載置台１３０に載置された原稿が規格サイズでない場合、又は原稿が原稿載置台１３０の左奥に合わせて載置されていない場合は、原稿の読み取りの前に、プリスキャンを実施し、ＣＣＤ１４４に結像された、原稿の主走査方向及び副走査方向における原稿の縁の画素から原稿のサイズ及び位置を検知する。
【００６０】
なお、前記走査ユニット（第１光源１４１Ａ及び第２光源１４１Ｂ）を駆動させる走査モータ１０４のパルスから、前記走査ユニットの移動位置が検出できるので、原稿載置台１３０に載置された原稿の縁の下方に、前記走査ユニット（第１光源１４１Ａ及び第２光源１４１Ｂ）が位置した際、後述するように、第１光源１４１Ａ及び第２光源１４１Ｂの光量を調整することが出来る。また、これに限るものでなく、前記走査ユニットの走査（読み取り）開始からの時間を測定することにより、前記走査ユニットが原稿載置台１３０に載置された原稿の縁の下方に移動するまでの時間を算出し、後述するように、第１光源１４１Ａ及び第２光源１４１Ｂの光量を調整することが出来るように構成しても良い。
【００６１】
記憶部１０７は、ＣＣＤ１４４によって検出された、第１光源１４１Ａ及び第２光源１４１Ｂの光量がデジタル信号に変換され、斯かるデジタル値に係るデータを記憶する。また、記憶部１０７は、原稿検出部１０６によって検出された、原稿載置台１３０における原稿の位置に係るデータを記憶する。
【００６２】
操作パネル１０８は、表示部１０９を備えており、ユーザの操作より指示を受け付ける。図８は操作パネル１０８及び表示部１０９を示す図である。操作パネル１０８は、テンキー、スタートキー、クリアキー等各種入力キーからなる入力部１０８Ａと、液晶ディスプレイ等の表示部１０９とを有し、装置全体の操作、各種設定等の指示の入力が行われ、入力内容や装置全体の動作状況が表示部１０９を介して表示される。なお、表示部１０９には、タッチパネルを設けており、タッチパネルを介して入力操作ができるように構成されている。
【００６３】
なお、表示部１０９には、読み取るべき原稿が、葉書及びかた紙等の厚い紙か、ブックか、普通紙かの選択（所定の指示）を、ユーザから受け付ける受付画面Ｔ（受付手段）が表示される。図９は受付画面Ｔを説明するための説明図である。受付画面Ｔには、「普通紙」及び「厚紙又はブック」のソフトキーが設けられており、例えば、ユーザは前記ソフトキーの何れかを指先にて押圧操作することによって前記選択を行うことができ、ＣＰＵ１０１Ａは表示部１０９を介して前記選択の指示を受け付け、適宜処理を行う。
【００６４】
以下、本発明の実施の形態１に係るデジタル複合機における、第１光源１４１Ａ及び第２光源１４１Ｂの光量の検出及び調整について説明する。
第１光源１４１Ａ及び第２光源１４１Ｂによる露光可能な位置に配設され、シェーディング補正用の基準データを取得するためのシェーディングシート（又は白基準板）を、第１光源１４１Ａ及び第２光源１４１Ｂが夫々照射し、その反射光をミラーユニット１４２を介してＣＣＤ１４４が受光する。ＣＣＤ１４４は前記反射光をその光量に応じたアナログ電気信号に変換して出力し、該アナログ電気信号はＡ／Ｄ変換され、例えば８ビット（０〜２５５階調）のデジタル電気信号に変換される。前記デジタル電気信号に係るデジタル値は記憶部１０７に記憶しておく。
【００６５】
例えば、第１光源１４１Ａがシェーディングシートを照射した場合の反射光に係る光量のデジタル値が２５０であり、第２光源１４１Ｂがシェーディングシートを照射した場合の反射光に係る光量のデジタル値が２４０である場合、これらのデジタル値は記憶部１０７に記憶される。斯かる場合、第１光源１４１Ａ及び第２光源１４１Ｂの光量にバラツキが発生している。
【００６６】
この際、第１光源１４１Ａ及び第２光源１４１Ｂの光量比を１：１とし、光量のバラツキをなくす場合は、光量制御部１０５は、記憶部１０７に記憶されているデジタル値に基づき、例えば第１光源１４１Ａを基準にして、第２光源１４１Ｂに印加する電圧を「２５０/２４０」倍にする。
【００６７】
なお、第１光源１４１Ａ及び第２光源１４１Ｂの光量比を例えば４：６とする場合は、光量制御部１０５は、記憶部１０７に記憶されているデジタル値に基づき、例えば第１光源１４１Ａを基準にして、第２光源１４１Ｂに印加する電圧を「２５０／２４０×６／４」倍にする。
【００６８】
以下、本発明の実施の形態１に係るデジタル複合機による読み取り処理について説明する。図１０は本発明の実施の形態１に係るデジタル複合機のＣＰＵ１０１Ａの処理を示すフローチャートである。説明の便宜上、第１光源１４１Ａ及び第２光源１４１Ｂは、原稿載置台１３０の左側から右側へ往移動し、原稿載置台１３０の右側から左側へ復移動する往復移動を行う。この際、原稿載置台１３０に載置された原稿の走査が行われ、原稿載置台１３０の左方向から右方向を副走査方向とし、該副走査方向と交叉する方向を主走査方向とする。なお、矩形の原稿を原稿載置台１３０の左奥に合わせて載置しておいて、ユーザからの指示に応じて前記原稿の読み取りを行うものとする。
【００６９】
ユーザは、原稿を原稿載置台１３０の左奥に合わせて載置しておき、操作パネル１０８を操作して前記原稿の読み取りを指示する。ＣＰＵ１０１Ａは操作パネル１０８を介して、ユーザからの原稿の読み取り指示を受け付ける（ステップＳ１０１）。
【００７０】
ＣＰＵ１０１Ａは、ユーザからの原稿の読み取り指示に応じて、第１光源１４１Ａ及び第２光源１４１Ｂの光量を検出する（ステップＳ１０２）。光量の検出は、第１光源１４１Ａ及び第２光源１４１Ｂが別個にシェーディングシートを照射した場合の反射光をＣＣＤ１４４が受光して、前記反射光をその光量に応じたアナログ電気信号に変換することにより行われる。詳しい説明は上述した通りであり、省略する。検出された光量は記憶部１０７に記憶される。
【００７１】
次いで、ＣＰＵ１０１Ａは、ＲＯＭ１０１Ｂに記憶されている受付画面Ｔを表示するためのプログラムを用い、表示部１０９に受付画面Ｔを表示する（ステップＳ１０３）。受付画面Ｔには「普通紙」及び「厚紙又はブック」の２つのソフトキーが設けられており、ユーザは何れか一方を選択して押圧操作することによって、ＣＰＵ１０１Ａは選択指示を受け付ける。
【００７２】
ＣＰＵ１０１Ａは、表示部１０９のタッチパネルを監視することによって、「厚紙又はブック」の選択指示を受け付けたか否かを判定する（ステップＳ１０４）。
【００７３】
ＣＰＵ１０１Ａは、「厚紙又はブック」の選択指示を受け付けたと判定した場合（ステップＳ１０４：ＹＥＳ）、第１光源１４１Ａ及び第２光源１４１Ｂの光量を所定の比率（例えば、４：６）にするために、第１光源１４１Ａ及び第２光源１４１Ｂの夫々に印加すべき電圧値を算出する（ステップＳ１０５）。これは、記憶部１０７に記憶されている第１光源１４１Ａ及び第２光源１４１Ｂの光量に基づいて行われ、詳しい説明は上述した通りであり、省略する。
【００７４】
ＣＰＵ１０１Ａは、算出された電圧値に基づき、第１光源１４１Ａ及び第２光源１４１Ｂの夫々に印加すべき電圧を調整する（ステップＳ１０６）。これは、ＣＰＵ１０１Ａが、ステップＳ１０５にて算出された電圧値に基づき、第１光源１４１Ａ及び第２光源１４１Ｂへの電圧印加を、光量制御部１０５に指示することによって行われる。
【００７５】
次いで、ＣＰＵ１０１Ａは、原稿読取制御部１０２に指示し、読み取りを開始する（ステップＳ１０７）。原稿読取制御部１０２はＣＰＵ１０１Ａからの読み取り実行の指示に応じて、走査モータ駆動部１０３に駆動開始信号を出力し、走査モータ駆動部１０３は前記駆動開始信号に応じて走査モータ１０４に駆動電圧を印加して前記走査ユニットを駆動させ、走査（読み取り）を開始する。この際、第１光源１４１Ａ及び第２光源１４１Ｂは、４：６の光量率を保ちつつ、原稿載置台１３０に載置された原稿を照射する。従って、前記原稿が厚いものである場合、前記原稿の厚みが原因で、前記原稿の右端部の縁付近に黒い影が発生することを防止できる。以下にて、詳しく説明する。
【００７６】
図１１は第１光源１４１Ａ及び第２光源１４１Ｂが前記原稿の右端部の下方に位置した場合の照射状況を説明するための説明図である。説明の便宜上、図中、副走査方向を左右方向とする。
【００７７】
原稿送り装置１２０は、原稿載置台１３０に載置された原稿Ｐを押えて密着させる変形可能な原稿押えマット１２０Ａと、原稿押えマット１２０Ａを保持し、原稿Ｐによって原稿押えマット１２０Ａが浮き上がることを防ぐ原稿押え板１２０Ｂとを備えている。厚い原稿Ｐを原稿載置台１３０の左（図１１中、副走査方向におけるＡ側）奥に合わせて載置しておいて原稿Ｐの読み取りを行う場合、原稿Ｐの厚みによって原稿Ｐの右端部の縁と原稿押えマット１２０Ａとの間に段差（Ｇ）が生じる。斯かる場合、第１光源１４１Ａ（図中左側）からの光により、段差（Ｇ）に影が発生する。しかし、第１光源１４１Ａから右方向に適宜隔てて設けられた第２光源１４１Ｂからの光が段差（Ｇ）に向けて照射されるので、段差（Ｇ）を照らして影が発生することを防止できる。
【００７８】
一方、ＣＰＵ１０１Ａが、ステップＳ１０４にて「厚紙又はブック」の選択指示を受け付けていないと判定した場合（ステップＳ１０４：ＮＯ）、記憶部１０７に記憶されている第１光源１４１Ａ及び第２光源１４１Ｂの光量に基づいて、第１光源１４１Ａ及び第２光源１４１Ｂの光量が等しいか否かを判定する（ステップＳ１０８）。
【００７９】
ＣＰＵ１０１Ａは、第１光源１４１Ａ及び第２光源１４１Ｂの光量が等しくないと判定した場合（ステップＳ１０８：ＮＯ）、上述した手法によって、第１光源１４１Ａ及び第２光源１４１Ｂの光量を等しくするために、第１光源１４１Ａ及び第２光源１４１Ｂの夫々に印加すべき電圧値を算出する（ステップＳ１０９）。
【００８０】
次いで、ＣＰＵ１０１Ａは、算出された電圧値に基づき、第１光源１４１Ａ及び第２光源１４１Ｂの夫々に印加すべき電圧を調整する（ステップＳ１１０）。
【００８１】
ＣＰＵ１０１Ａは、原稿読取制御部１０２に指示し、読み取りを開始する（ステップＳ１１１）。この際、第１光源１４１Ａ及び第２光源１４１Ｂは、１：１の光量率を保ちつつ、原稿載置台１３０に載置された原稿を照射する。従って、光源の劣化に伴い、夫々の光源の光量にバラツキが発生することを防ぐことが出来る。
【００８２】
一方、ステップＳ１０８にて、ＣＰＵ１０１Ａが、第１光源１４１Ａ及び第２光源１４１Ｂの光量が等しいと判定した場合（ステップＳ１０８：ＹＥＳ）、処理はステップＳ１１１に進む。
【００８３】
（実施の形態２）
図１２は本発明の実施の形態２に係るデジタル複合機のＣＰＵ１０１Ａの処理を示すフローチャートである。説明の便宜上、第１光源１４１Ａ及び第２光源１４１Ｂは、原稿載置台１３０の左側から右側へ往移動し、原稿載置台１３０の右側から左側へ復移動する往復移動を行う。この際、原稿載置台１３０に載置された原稿の走査が行われ、原稿載置台１３０の左方向から右方向を副走査方向とし、該副走査方向と交叉する方向を主走査方向とする。なお、矩形の原稿を原稿載置台１３０の左奥に合わせて載置しておいて、ユーザからの指示に応じて前記原稿の読み取りを行うものとする。
【００８４】
ユーザは、原稿を原稿載置台１３０の左奥に合わせて載置しておき、操作パネル１０８を操作して前記原稿の読み取りを指示する。ＣＰＵ１０１Ａは操作パネル１０８を介して、ユーザからの原稿の読み取り指示を受け付ける（ステップＳ２０１）。
【００８５】
ＣＰＵ１０１Ａは、ユーザからの原稿の読み取り指示に応じて、第１光源１４１Ａ及び第２光源１４１Ｂの光量を検出する（ステップＳ２０２）。光量の検出は、第１光源１４１Ａ及び第２光源１４１Ｂが別個にシェーディングシートを照射した場合の反射光をＣＣＤ１４４が受光して、前記反射光をその光量に応じたアナログ電気信号に変換することにより行われる。検出された光量は記憶部１０７に記憶される。
【００８６】
次いで、ＣＰＵ１０１Ａは、原稿検出部１０６に指示することにより、原稿の位置を検出する（ステップＳ２０３）。ＣＰＵ１０１Ａに応じて、原稿検出部１０６は、光学センサ１３１，１３２，１３３の検出結果に基づいて原稿の位置（大きさ）を検出する。以下、説明の便宜上、前記原稿はＡ４サイズであるとする。
【００８７】
次いで、ＣＰＵ１０１Ａは、ＲＯＭ１０１Ｂに記憶されている受付画面Ｔを表示するためのプログラムを用い、表示部１０９に受付画面Ｔを表示する（ステップＳ２０４）。受付画面Ｔには「普通紙」及び「厚紙又はブック」の２つのソフトキーが設けられており、ユーザは何れか一方を選択して押圧操作することによって、ＣＰＵ１０１Ａは選択指示を受け付ける。
【００８８】
ＣＰＵ１０１Ａは、表示部１０９のタッチパネルを監視することによって、「厚紙又はブック」の選択指示を受け付けたか否かを判定する（ステップＳ２０５）。
【００８９】
ＣＰＵ１０１Ａは、「厚紙又はブック」の選択指示を受け付けたと判定した場合（ステップＳ２０５：ＹＥＳ）、第１光源１４１Ａ及び第２光源１４１Ｂの光量を１：１及び４：６にするために、第１光源１４１Ａ及び第２光源１４１Ｂの夫々に印加すべき電圧値を夫々算出する（ステップＳ２０６）。これは、記憶部１０７に記憶されている第１光源１４１Ａ及び第２光源１４１Ｂの光量に基づいて行われ、詳しい説明は上述した通りであり、省略する。
【００９０】
ＣＰＵ１０１Ａは、算出された電圧値の中、第１光源１４１Ａ及び第２光源１４１Ｂの光量を１：１にするための電圧値に基づき、第１光源１４１Ａ及び第２光源１４１Ｂの夫々に印加すべき電圧を調整する（ステップＳ２０７）。これは、ＣＰＵ１０１ＡがステップＳ２０６にて算出された電圧値に基づき、第１光源１４１Ａ及び第２光源１４１Ｂへの電圧印加を、光量制御部１０５に指示することによって行われる。
【００９１】
次いで、ＣＰＵ１０１Ａは、原稿読取制御部１０２に指示し、読み取りを開始する（ステップＳ２０８）。原稿読取制御部１０２はＣＰＵ１０１Ａからの読み取り実行の指示に応じて、走査モータ駆動部１０３に駆動開始信号を出力し、走査モータ駆動部１０３は前記駆動開始信号に応じて走査モータ１０４に駆動電圧を印加して前記走査ユニットを駆動させ、走査（読み取り）を開始する。この際、第１光源１４１Ａ及び第２光源１４１Ｂは、１：１の光量率を保ちつつ、原稿載置台１３０に載置された原稿を照射する。
【００９２】
その後、ＣＰＵ１０１Ａは、前記走査ユニット（第１光源１４１Ａ及び第２光源１４１Ｂ）の前記原稿に対する位置を検出し（ステップＳ２０９）、前記走査ユニット（第１光源１４１Ａ及び第２光源１４１Ｂ）が原稿載置台１３０に載置された原稿の右端部の下方に位置しているか否かを判定する（ステップＳ２１０）。前記走査ユニットの移動位置は、上述したように、前記走査ユニットを駆動させる走査モータ１０４のパルスから検出でき、前記原稿はＡ４サイズであることがステップＳ２０３にて既に検出されているので、これらに基づき、ＣＰＵ１０１Ａは、前記走査ユニット（第１光源１４１Ａ及び第２光源１４１Ｂ）の位置検出、及び原稿載置台１３０に載置された原稿の右端部の下方に位置しているか否かの判定ができる。
【００９３】
ＣＰＵ１０１Ａは、第１光源１４１Ａ及び第２光源１４１Ｂが原稿載置台１３０に載置された原稿の右端部の下方に位置していないと判定した場合（ステップＳ２１０：ＮＯ）、第１光源１４１Ａ及び第２光源１４１Ｂが原稿載置台１３０に載置された原稿の右端部の下方に位置するまで待機する。
【００９４】
一方、ＣＰＵ１０１Ａは、第１光源１４１Ａ及び第２光源１４１Ｂが原稿載置台１３０に載置された原稿の右端部の下方に位置していると判定した場合（ステップＳ２１０：ＹＥＳ）、第１光源１４１Ａ及び第２光源１４１Ｂの光量を４：６にするための電圧値に基づき、第１光源１４１Ａ及び第２光源１４１Ｂの夫々に印加すべき電圧を調整する（ステップＳ２１１）。
【００９５】
従って、第１光源１４１Ａ及び第２光源１４１Ｂは、１：１の光量率から４：６の光量率に変更された状態で、原稿載置台１３０に載置された原稿を照射する。従って、前記原稿が厚いものである場合、前記原稿の厚みが原因で、前記原稿の右端部の縁付近に黒い影が発生することを防止できる。
【００９６】
一方、ＣＰＵ１０１Ａが、ステップＳ２０５にて「厚紙又はブック」の選択指示を受け付けていないと判定した場合（ステップＳ２０５：ＮＯ）、記憶部１０７に記憶されている第１光源１４１Ａ及び第２光源１４１Ｂの光量に基づいて、第１光源１４１Ａ及び第２光源１４１Ｂの光量が等しいか否かを判定する（ステップＳ２１２）。
【００９７】
ＣＰＵ１０１Ａは、第１光源１４１Ａ及び第２光源１４１Ｂの光量が等しくないと判定した場合（ステップＳ２１２：ＮＯ）、上述した手法によって、第１光源１４１Ａ及び第２光源１４１Ｂの光量を等しくするために、第１光源１４１Ａ及び第２光源１４１Ｂの夫々に印加すべき電圧値を算出する（ステップＳ２１３）。
【００９８】
次いで、ＣＰＵ１０１Ａは、算出された電圧値に基づき、第１光源１４１Ａ及び第２光源１４１Ｂの夫々に印加すべき電圧を調整する（ステップＳ２１４）。
【００９９】
ＣＰＵ１０１Ａは、原稿読取制御部１０２に指示し、読み取りを開始する（ステップＳ２１５）。この際、第１光源１４１Ａ及び第２光源１４１Ｂは、１：１の光量率を保ちつつ、原稿載置台１３０に載置された原稿を照射する。
【０１００】
一方、ステップＳ２１２にて、ＣＰＵ１０１Ａが、第１光源１４１Ａ及び第２光源１４１Ｂの光量が等しいと判定した場合（ステップＳ２１２：ＹＥＳ）、処理はステップＳ２１５に進む。
【０１０１】
実施の形態２においては、矩形の原稿を原稿載置台１３０の左奥に合わせて載置しておいた場合を例として説明したがこれに限るものでない。例えば、原稿を原稿載置台１３０の左奥から所定の間隔を挟んで載置しておいた場合であっても、本発明の効果を奏出できる。斯かる場合は、プリスキャンによる原稿位置検出の結果に基づき、前記原稿の左右両端側にて、第１光源１４１Ａ及び第２光源１４１Ｂの光量率を変更すれば良い。
【０１０２】
詳しくは、第１光源１４１Ａ及び第２光源１４１Ｂが前記原稿の左端部の下方に位置した場合は、第１光源１４１Ａの光量を第２光源１４１Ｂより高め（例えば、６：４にする。）、前記原稿の厚みによって該原稿の左端部の縁と原稿押えマット１２０Ａとの間に生じる段差に向けて照射する。また、第１光源１４１Ａ及び第２光源１４１Ｂが前記原稿の左端部及び右端部の間の下方に位置した場合は、第１光源１４１Ａ及び第２光源１４１Ｂの光量を等しくする。なお、第１光源１４１Ａ及び第２光源１４１Ｂが前記原稿の右端部の下方に位置した場合は、第２光源１４１Ｂの光量を第１光源１４１Ａより高め（例えば、４：６にする。）、前記原稿の厚みによって該原稿の右端部の縁と原稿押えマット１２０Ａとの間に生じる段差に向けて照射するように構成すれば良い。
【０１０３】
なお、以上の説明においては、第１光源１４１Ａ及び第２光源１４１Ｂが原稿載置台１３０に載置された原稿の右端部の下方に位置したとき、印加電圧の調整を行う場合を例として説明したが、実際は、第１光源１４１Ａ及び第２光源１４１Ｂが原稿載置台１３０に載置された原稿の右端部の下方に位置する数ミリ秒前に印加電圧の調整を行うように構成した方が望ましい。
【０１０４】
なお、以上の説明においては、印加する電圧を制御することにより、光源の光量を調整する場合を例として説明したが、これに限るものでなく、印加する電流を制御することにより、光源の光量を調整するように構成してもよい。
【符号の説明】
【０１０５】
１０８  操作パネル
１０９  表示部
１０１Ａ  ＣＰＵ
１０６  原稿検出部
１４１Ａ  第１光源
１４１Ｂ  第２光源
１３０  原稿載置台
Ｐ  原稿
Ｔ  受付画面
１４４  ＣＣＤ
１４５、１４６  ＬＥＤ
【図１】
2010178213.tif 000003
【図２】
2010178213.tif 000004
【図３】
2010178213.tif 000005
【図４】
2010178213.tif 000006
【図５】
2010178213.tif 000007
【図６】
2010178213.tif 000008
【図７】
2010178213.tif 000009
【図８】
2010178213.tif 000010
【図９】
2010178213.tif 000011
【図１０】
2010178213.tif 000012
【図１１】
2010178213.tif 000013
【図１２】
2010178213.tif 000014
【図１３】
2010178213.tif 000015
【図１４】
2010178213.tif 000016